(57)【要約】  −少なくとも１つの紙基材（１０）と、  −紙基材（１０）で作成された少なくとも１つの透かし（１１）であって、この透かしは、外部輪郭（１３）を有する、透かし（１１）と、  −紙基材の切除によって作成された規則的なエッジの少なくとも１つの開口部（１２）と、  −透かし（１１）及び開口部（１２）に少なくとも部分的に重ねられた少なくとも１つのセキュリティフィルム（１５）であって、少なくとも１つの開口部（１２）は、透かし（１１）の外側の輪郭で囲まれるように透かし（１１）の内側にある、セキュリティフィルム（１５）と、を備えるセキュリティシート。
2021522087.tif 000002
【特許請求の範囲】
【請求項１】
−  少なくとも１つの紙基材（１０）と、
−  前記紙基材（１０）内に作成された少なくとも１つの透かし（１１）であって、前記透かしは外部輪郭（１３）を有する、少なくとも１つの透かし（１１）と、
−  前記紙基材の切除によって作成された規則的なエッジの少なくとも１つの開口部（１２）と、
−  前記少なくとも１つの透かし（１１）及び前記開口部（１２）上に少なくとも部分的に重ね合わされた少なくとも１つのセキュリティフィルム（１５）と、
を備えるセキュリティシートであって、
前記少なくとも１つの開口部（１２）は、その外部輪郭によって囲まれるように前記透かし（１１）の内側にあり、前記セキュリティフィルム（１５）は、少なくとも部分的に前記開口部（１２）に重ね合わされた少なくとも１つのセキュリティエレメント（２０）を備えることを特徴とするセキュリティシート。
【請求項２】
前記外部輪郭（１３）によって囲まれるような前記透かし（１１）の範囲は、前記少なくとも１つの開口部（１２）の範囲よりも少なくとも１．１倍以上、さらに好適には１．５倍以上、さらに好適には１０倍または２０倍以上大きいことを特徴とする請求項１に記載のセキュリティシート。
【請求項３】
前記少なくとも１つの開口部（１２）は、前記透かしの（１１）の中心に配置されていることを特徴とする請求項１または２に記載のセキュリティシート。
【請求項４】
前記セキュリティエレメント（２０）の輪郭は、前記開口部（１２）の輪郭と相似であることを特徴とする請求項１〜３のいずれか一項に記載のセキュリティシート。
【請求項５】
前記セキュリティエレメント（２０）は、前記開口部を完全に覆い、特に、前記開口部の範囲に対して５％〜２０％大きい範囲であることを特徴とする請求項１〜４のいずれか一項に記載のセキュリティシート。
【請求項６】
前記セキュリティエレメント（２０）は、前記開口部（１２）の領域において光学的に可変であることを特徴とする前述の請求項１〜５のいずれか一項に記載のセキュリティシート。
【請求項７】
前記セキュリティエレメント（２０）は、光学的に可変のデバイス、特に回折デバイス、好ましくはＤＯＥデジタルホログラムであることを特徴とする請求項１〜６のいずれか一項に記載のセキュリティシート。
【請求項８】
前記セキュリティエレメント（２０）は、前記開口部の領域において、金属層及び前記金属層中の少なくとも１つのボイドを備えることを特徴とする請求項１〜７のいずれか一項に記載のセキュリティシート。
【請求項９】
前記セキュリティエレメント（２０）は、前記開口部の領域において、異なる外観の前面及び後面を有することを特徴とする請求項１〜８のいずれか一項に記載のセキュリティシート。
【請求項１０】
前記少なくとも１つの開口部（１２）の輪郭は、前記透かし（１１）の輪郭と実質的に相似であることを特徴とする請求項１〜９のいずれか一項に記載のセキュリティシート。
【請求項１１】
前記少なくとも１つの開口部（１２）の輪郭は、前記透かし（１１）のパターンと相似であることを特徴とする請求項１〜９のいずれか一項に記載のセキュリティシート。
【請求項１２】
前記透かし（１１）は点描されていることを特徴とする請求項１〜１１のいずれか一項に記載のセキュリティシート。
【請求項１３】
前記透かし（１１）は、陰影を付けられていることを特徴とする請求項１〜１１のいずれか一項に記載のセキュリティシート。
【請求項１４】
前記セキュリティフィルム（１５）は、前記少なくとも１つの開口部（１２）を完全に覆うことを特徴とする請求項１〜１３のいずれか一項に記載のセキュリティシート。
【請求項１５】
前記セキュリティフィルムは、前記セキュリティシートの一方のエッジから反対側のエッジまでストリップ状に延在する、或いは、前記開口部及びそれ以上を覆うパッチの形態で適用されることを特徴とする請求項１〜１４のいずれか一項に記載のセキュリティシート。
【請求項１６】
前記セキュリティフィルム（１５）の幅は、前記透かし（１１）の幅よりも小さいことを特徴とする請求項１４に記載のセキュリティシート。
【請求項１７】
前記少なくとも１つの開口部（１２）の輪郭は、前記セキュリティシートまたは前記セキュリティエレメントのどこかに複製されていることを特徴とする請求項１〜１６のいずれか一項に記載のセキュリティシート。
【請求項１８】
前記少なくとも１つの開口部（１２）は、前記透かしのないシートの厚さとは異なる厚さの透かし入りの領域と接触することを特徴とする請求項１〜１７のいずれか一項に記載のセキュリティシート。
【請求項１９】
前記透かし（１１）には、対称中心がないことを特徴とする請求項１〜１８のいずれか一項に記載のセキュリティシート。
【請求項２０】
前記透かし（１１）は、２つのプラスチックフィルムの間に挟まれていることを特徴とする請求項１〜１９のいずれか一項に記載のセキュリティシート。
【請求項２１】
請求項１〜２０のいずれか一項に記載のセキュリティシートを備えることを特徴とするセキュリティドキュメント、特に紙幣。
【請求項２２】
請求項１〜２０のいずれか一項に記載のセキュリティシートを製造するための方法であって
少なくとも１つの透かしを備える透かし入りの紙のシートを製造するステップ、この透かしに少なくとも１つの開口部を切り抜くステップ、及び、前記透かしをも覆うセキュリティフィルムで前記開口部を少なくとも部分的に塞ぐステップからなるステップを備えることを特徴とする方法。
【請求項２３】
前記開口部は、レーザーまたはダイカッターを使用して作成されることを特徴とする請求項２２に記載の方法。
【請求項２４】
セキュリティシートであって、
−  少なくとも１つの紙基材と、
−  特に印刷物、メタルゼーション／デメタルゼーション、またはホログラムの形をとる、参照パターン（６０；３５）の少なくとも１つの表現と、
−  前記紙基材に作成された少なくとも１つの透かし（１１）であって、前記透かしは、不完全な形状において前記参照パターン（６０；３５）を表現する、透かしと、
−  前記紙基材の切除によって作成された規則的なエッジの少なくとも１つの開口部（１２）であって、前記開口部は前記透かしを完成させ、透過光で前記セキュリティシートを観察した際の前記参照パターンの外観及び／または意味を再現する、開口部と、
−  少なくとも部分的に透明または半透明である少なくとも１つのセキュリティフィルムであって、前記セキュリティフィルムが少なくとも部分的に開口部に重ね合わされている、セキュリティフィルムと、
を備えることを特徴とするセキュリティシート。
【請求項２５】
前記参照パターン（３５）は、前記セキュリティフィルム上に存在することを特徴とする請求項２４に記載のセキュリティシート。
【請求項２６】
前記参照パターン（３５）は、デメタライゼーションの形態で存在することを特徴とする請求項２４に記載のセキュリティシート。
【請求項２７】
前記透かしは、複数の繰り返し基本パターンと、前記基本パターンの１つと同じ輪郭を有する前記少なくとも１つの開口部と、を備えることを特徴とする請求項２４〜２６のいずれか一項に記載のセキュリティシート。
【請求項２８】
前記透かしは、陰影及び／または点描された透かしであることを特徴とする請求項２７に記載のセキュリティシート。
【請求項２９】
前記参照パターン（６０）は英数字であることを特徴とする請求項２４〜２８のいずれか一項に記載のセキュリティシート。
【請求項３０】
前記透かしは、エレクトロタイプ透かしであることを特徴とする請求項２９に記載のセキュリティシート。
【請求項３１】
前記セキュリティフィルム（１５）は、前記透かし上に少なくとも部分的に重ね合わされていることを特徴とする請求項２４〜３０のいずれか一項に記載のセキュリティシート。
【請求項３２】
前記セキュリティフィルム（１５）は、前記透かし（１１）を超えて延在する請求項２４〜３１のいずれか一項に記載のセキュリティシート。
【発明の詳細な説明】
【技術分野】
【０００１】
本発明は、セキュリティシート、特にセキュリティドキュメントの作成を目的としたものに関する。
【０００２】
「セキュリティドキュメント」とは、紙幣、小切手または食事券などの支払い手段、身分証明書、ビザ、パスポートまたは運転免許証などの身分証明書、宝くじ、旅行チケット、さらには文化的イベントまたはスポーツイベントへの入場券を意味する。
【０００３】
本発明は、より具体的には、しかし限定することなく、紙幣の製造を目的としたセキュリティシートに関する。
【０００４】
セキュリティドキュメントの改ざんや偽造の試みを防ぐために、ドキュメントを簡単に認証及び／または識別できることが望ましい。
【０００５】
透かしの技術は、セキュリティペーパーの分野、特に紙幣の分野で非常に一般的に使用されている。透かしは、殆どの紙幣使用者、一般人でさえ、識別及び特定できるレベル１のセキュリティマーキングを実現する従来の方法である。
【０００６】
特許文献１において、透かしが設けられた紙基材を備え、基材の片面に取り付けられたセキュリティフィルムによって開口部が覆われたセキュリティシートを製造することがすでに提案されている。開口部は透かしの外側に作成され、その外観を視覚的に補完している。セキュリティフィルムには、全体的な観察可能なパターンに関与する脱金属を含み得る。
【０００７】
特許文献２は、製紙プロセスを使用して製造された開口部を開示しており、肉眼で見えるように開口部に突き出た繊維を備えた不規則なエッジを有する。この開口部は、周囲に配置された透かしと組み合わせて全体的なパターンを形成するのに寄与し得る。開口部は、紙基材の片面に追加されたフィルムで覆われ得る。このような不規則なエッジの開口部の製造は、習得するのが複雑な製紙作業であり、細かく再現性のある審美的効果の取得を比較的困難にする。
【０００８】
特許文献３は、一方が規則的なエッジでもう一方が不規則なエッジの２つの開口部を含むセキュリティドキュメントを開示する。規則的なエッジの開口部は透かしに組み込まれ得る。
【０００９】
特許文献４は、セキュリティスレッドまたは透かしと組み合わせることができる貫通開口部を含むセキュリティドキュメントを開示しており、開口部はレーザーによって切断されている。
【先行技術文献】
【特許文献】
【００１０】
【特許文献１】国際公開第２００５／１０６１１８号
【特許文献２】米国特許第８４６５６２５号明細書
【特許文献３】独国特許出願公開第１０２００５０２２０１８号明細書
【特許文献４】独国特許出願公開第１０２０１４０１６２４９号明細書
【特許文献５】欧州特許第０３１９１５７号明細書
【特許文献６】国際公開第２０１４／１１９２９６号
【発明の概要】
【発明が解決しようとする課題】
【００１１】
本発明は、セキュリティシートをさらに改善すること、特に、偽造者が複製するのに複雑でありながら、一般人が容易に認識でき、多くの美的可能性を可能にするセキュリティマーキングを提供することを目的とする。
【課題を解決するための手段】
【００１２】
本発明は、その第１の態様によれば、以下を含むセキュリティシートを提供することによってこの目的を達成し、セキュリティシートは：
−  少なくとも１つの紙基材と、
−  紙基材に作成された少なくとも１つの透かしであって、この透かしは外部輪郭を有する、透かしと、
−  少なくとも１つ紙基材の切除（ablation）によって作成された規則的なエッジの開口部と、
−  透かし及び開口部に少なくとも部分的に重ね合わされた少なくとも１つのセキュリティフィルムと、
を備え、前記少なくとも１つの開口部が、透かしの外部輪郭によって囲まれるように透かしの内側にあることを特徴とする。
【００１３】
「透かしの内側」とは、透かしの最も外側の輪郭をなぞる曲線で囲まれた接続領域を意味する。従って、円形のリング形状の透かしは、リングの外径に等しい外径のディスク形状の接続領域を画定する。
【００１４】
開口部は、透かしの内側にある、または、透かしが入った領域、すなわち透かし自体に重ね合わせてもしなくてもよい。環状の透かしの例に戻ると、開口部がリングの内側の円の直径よりも小さい直径の穴である場合、開口部は透かしの上に重なることなく透かしの内側にあり得る。透かしが入った領域は、透かしが入っていない紙の厚さとは異なる厚さの領域である。この厚さは、明るい透かしの場合は透かしのない紙の厚さよりも小さくなり、暗い透かしの場合は大きくなり得る。
【００１５】
透かしの輪郭は、切り抜きが作成される前に存在する輪郭である。
【００１６】
切り抜きは、透かしを入れた領域を貫通して作成される場合と作成されない場合がある。透かしを入れた領域から切り抜きを作成する場合、これは透かしの一部が切り抜き作業によって削除されることを意味する。
【００１７】
透かしの内側に１つまたは複数の開口部を作成すると、開口部の予想位置と透かしの予想位置との間の製造公差に関連するずれを、美的観点からより受け入れやすくすることができる。
【００１８】
さらに、透かしの紙の厚さは可変であり、透かし内に規則的なエッジの切り抜きを作成するには、高性能な切削工具が必要であるため、偽造がより困難になる。
【００１９】
開口部は、１ｍｍ２よりも小さいまたは１ｍｍ２よりも大きい様々な領域を有し得、例えば、それが作成される透かしの外部輪郭まで延在する。
【００２０】
「規則的なエッジ」とは、前述の特許文献２に開示されている開口部（製紙プロセスを使用して取得）とは対照的に、肉眼で開口部に突出する長い自由繊維のないエッジであると理解する必要がある。規則的なエッジは、好ましくはレーザー切断によって得られるエッジであり、このエッジは、直線、湾曲、波状、または凹みがあり得、波または凹みは、切断によって作成される。
【００２１】
本発明のさらに別の主題は、その態様の第２によれば、セキュリティシートであり、セキュリティシートは、
−少なくとも１つの紙基材と、
−特に印刷物、メタルゼーション／デメタルゼーション、またはホログラムの形をとる、参照パターンの少なくとも１つの表現と、
−紙基材に作成された少なくとも１つの透かしであって、この透かしは、不完全な形状において参照パターンを表現する、透かし、
−紙基材の切除によって作成された規則的なエッジの少なくとも１つの開口部であって、この開口部は透かしを完成させ、透過光でシートを観察した際の参照パターンの外観及び／または意味を再現する、開口部と、
少なくとも部分的に透明または半透明である少なくとも１つのセキュリティフィルムであって、このフィルムが少なくとも部分的に開口部に重ね合わされている、セキュリティフィルムと、
を備える。
【００２２】
好ましくは、セキュリティドキュメントは紙幣である。
【００２３】
開口部がセキュリティフィルムに重ね合わされる、シートの領域は、「ウィンドウ」と称される。
【００２４】
本発明は、その第１及び第２の態様によれば、合体した透かし及びセキュリティフィルムを透過光または反射光で同期して観察されることを可能にする組み合わせを提案することによって偽造するリスクに対するドキュメントのセキュリティをさらに向上させる。
【００２５】
セキュリティエレメントは、開口部の領域において、前後面で異なる外観を有し得る。それは特に、サイズ、輪郭、及び／または、内容、並びに、及び／または、異なるパターンにおける光沢度、コントラスト、色、及び／または色相の問題であり得る。この外観の違いは、透過光または反射光、好ましくは反射光で観察可能である。次に、この違いは、少なくとも１つの所与の観察角度で正面から観察可能であり、少なくとも１つの所与の観察角度で後面から観察可能である。それは、前面が少なくとも１つのタイプの照明、特に可視光、ＵＶまたはＩＲ光で照らされている場合、かつ、後面が少なくとも１つのタイプの照明、特に可視光、ＵＶまたはＩＲ光で照射されている場合に観察可能であり得る。
【００２６】
好ましくは、前面及び後面は異なるパターンを備える。これにより、前面及び後面の外観が非対称性により、異なる観察になり得る。
【００２７】
この組み合わせは、関連するパターンが、特に印刷によって混雑しすぎて、一般人がすぐに気付くことができない場合に、ウィンドウの視認性の欠如を軽減することを有利に可能にする。具体的には、透かしの近くで印刷物を混雑させないこと、特に透かし入りの印刷領域を作らないことは一般的である。
【００２８】
透過光での観察が感覚的により自然である、セキュリティフィルムと透かしの組み合わせにより、ウィンドウがより簡単に認識される。
【００２９】
さらに、特にウィンドウのパターンの美意識とウィンドウによって作成される光学効果が魅力的で見やすい場合、観察者は透かしにもっと注意を払うように促され、これは彼がその信憑性に注意を払う量を増やす間接的な方法になる。
【００３０】
本発明によって達成可能な別の利点は、セキュリティフィルムによる透かしの耐久性のある保護であり、この保護は、透かしとフィルムとがどの程度重なるか、及び、「カウンターフォイル（counter-foil）」と称される、反対側に貼り付けられる別の保護フィルムが存在するから否か、に応じて部分的または完全であり得る。
【００３１】
特にウィンドウ内で、様々な光学効果が得られ得る。
【００３２】
特に特許文献５に記載されているような、透過光においてネガティブライティングして現れるパターンなどの効果（これらの効果はＣＬＥＡＲＴＥＸＴ効果と称される）が得られ得る。
【００３３】
ウィンドウ内に存在する光学効果は、透過光で可視のＣＬＥＡＲＴＥＸＴ効果と統合される可能性があり、各面で異なる反射光パターン及び／または光学効果及び／または色で示される。
【００３４】
変形例として、セキュリティフィルムは、開口部と同じ高さに、可視の光学効果が適用されなかった透明領域を有利に残し得る。
【００３５】
その外部輪郭によって囲まれるような透かしの範囲は、前記少なくとも１つの開口部の範囲よりも、少なくとも１．１倍、より好ましくは、少なくとも１．５倍、さらにより好ましくは少なくとも１０倍または２０倍大きくてもよい。
【００３６】
開口部は、サイズが小さく、特に細孔であり得る。「細孔（micro-perforation）」とは、その範囲が１ｍｍ２以下の開口部を意味する。
【００３７】
前記少なくとも１つの開口部は、透かしの中心または他の場所に配置され得る。中心に配置すると、それを実現するために正確な位置決めが必要になるため、セキュリティをさらに向上させ得る。
【００３８】
好ましくは、開口部は、セキュリティドキュメント上の所定位置に対して、機械方向ＭＤ（すなわち、基材が抄紙機を通過する方向）及び横断方向ＴＤにおいて＋／−３ｍｍよりも高い精度で配置される。必要に応じて、透かしに対する開口部の予想位置と観測位置との間で測定されるずれが測定され、このずれが事前定義された統計的関係を尊重するかどうかが確認される。尊重する場合、このことはドキュメントの信憑性の追加的な指標かであり得る。
【００３９】
セキュリティフィルムは、好ましくは、開口部に少なくとも部分的に重ね合わされる少なくとも１つのセキュリティエレメントを備える。好ましくは、セキュリティフィルムは開口部を完全に覆う。セキュリティエレメントは、開口部を完全に覆っても覆わなくてもよい。セキュリティエレメントは、光学的可変デバイス、特に回折デバイスであり得る。
【００４０】
セキュリティエレメントの輪郭は、開口部の輪郭と相似であるか、または変形例として任意のタイプであり得る。相似の輪郭は、作成がより困難になり、セキュリティをさらに高め得る。それはまた、開口部の輪郭に対して不適切に配置されたセキュリティエレメントの検出を容易にし得る。
【００４１】
セキュリティフィルム及びセキュリティエレメントは、開口部を完全に覆い得、特に、開口部の範囲に対して５％〜２０％大きくなる可能性がある。
【００４２】
セキュリティエレメントは、開口部の領域で光学的に可変であり得る。例えば、レンチキュラーセキュリティエレメント、モアレ効果に基づくセキュリティエレメント、回折性で特に一次のセキュリティエレメント（レーザーホログラム、３Ｄホログラム、ブレーズド回折格子）などの光学可変デバイス（ＯＶＤ）、或いは、ゼロ次、または薄膜干渉構造、特に単層または多層干渉構造（ブラッグ構造、ボリュームホログラム、液晶など）などのセキュリティエレメントである。このようなデバイスは、観察角度または照明角度が変化すると、様々な視覚効果を生み出す。
【００４３】
セキュリティエレメントは、回折構造、特に特許文献６の５ページに記載されているようなＤＯＥデジタルホログラムなどの回折光学エレメントであり得る。このような光学エレメントが、特にコリメートされたビームによって照射される場合、それは、この平面に配置された領域で可視な、またはこの平面からの透過で可視な、観察平面に画像を作成する干渉パターンを作成する。このような回折光学素子はコンピュータによって作成され、いわゆるレインボー、フレネル、またはボリューム反射ホログラムとは異なる。
【００４４】
セキュリティエレメントは、開口部の領域に、金属層及びその中の少なくとも１つのボイドを含み得る。
【００４５】
前記少なくとも１つの開口部の輪郭は、透かしの輪郭と実質的に相似であり得る。
【００４６】
前記少なくとも１つの開口部の輪郭は、透かしのパターンと相似であり得る。
【００４７】
透かしは、とりわけ、点描及び／または陰影を付けられ得、例えば、エレクトロタイプ透かしであり得る。
【００４８】
好ましくは、上述のように、フィルムは、前記少なくとも１つの開口部を完全に覆う。
【００４９】
フィルムは、シートの一方のエッジから反対側のエッジまでストリップ状に延在し得る。変形例として、フィルムは、開口部などを覆うパッチの形で適用され、従って、透かしの上に重ね合わされ得る。フィルムがパッチの場合、ドキュメントの少なくとも３つのエッジからセットバックされ、パッチが長方形の場合は、ドキュメントのすべてのエッジからセットバックされる方がよい。
【００５０】
フィルムの幅は透かしの幅よりも小さくてもよい。
【００５１】
前記少なくとも１つの開口部の輪郭は、シート上の他の場所またはセキュリティエレメント上に再現され得る。これにより、セキュリティシートの複製が困難になり、セキュリティを強化できる。
【００５２】
前記少なくとも１つのウィンドウは、透かしのないシートの厚さとは異なる厚さの透かし入りの領域、特により薄い厚さの透かし入りの領域と接触し得る。これにより、追加的な厚みができるのを最小限に抑え得る。
【００５３】
透かしには対称中心がなくてもよい。
【００５４】
本発明のさらに別の主題は、少なくとも１つの透かしを備える透かし入りの紙のシートを製造するステップ、この透かしに少なくとも１つの開口部を切り抜くステップ、及び、透かしも覆うセキュリティフィルムで前記開口部を少なくとも部分的に、さらにはより完全に塞ぐステップ、からなるステップを含むセキュリティシートを製造するための方法である。
【００５５】
開口部は、好ましくはレーザーを使用して作成されるが、変形例として、ダイカッターを使用して作成され得る。
【００５６】
開口部がレーザーで作成される場合、この方法は、透かし入りの領域の光学的取得、及び、この取得に応じたレーザーのリアルタイムでの制御を含み得、これにより、透かし内の開口部の所定の位置を保証するように透かしの参照フレームに対してレーザーを向けることができる。これにより、透かしと開口部によって形成された組み合わされたパターンの外観を実質的に一定に保つことができ、同時に、製紙プロセスの結果としてシート内の透かしの位置内に分配することができる。
【００５７】
参照パターンは、特にプリント、メタライゼーションまたはデメタライゼーションの形で、また、好ましくはメタライゼーション後の部分的なデメタライゼーション（下記の「メタライゼーション／デメタライゼーション」）の形で、セキュリティフィルム上に存在し得る。
【００５８】
透かしは、複数の繰り返し基本パターンを備え得、前記少なくとも１つの開口部は、前記複数の繰り返す基本パターンの１つと同一の輪郭を有し得る。
【００５９】
上記に示したように、透かしは、例えば、陰影及び／または点描の透かし等の任意のタイプであり得る。参照パターンは英数字でもよい。この場合、特に、透かしはエレクトロタイプ透かしであり得る。
【００６０】
フィルムは、透かしに少なくとも部分的に重ね合わされ得る。
【００６１】
フィルムは、透かしを超えて延在し得る。
【００６２】
透かしは、紙基材の前面及び後面で、そのいずれかの側に追加された２つのフィルムの間に挟まれ得る。これらのフィルムは、紙基材の同じ領域を覆う場合と覆わない場合があり、正確に重ね合わされる場合と重ね合わされない場合がある。必要に応じて、これらのフィルムの少なくとも１つが紙基材の表面全体を覆う。一例では、これらのフィルムのそれぞれが、紙基材の表面全体を覆っている。
【００６３】
本発明のさらに別の主題は、その別の態様によれば、上記で定義されたような本発明によるセキュリティシートを備えるセキュリティドキュメント、特に紙幣である。
【００６４】
セキュリティシート、またはそこから取得したドキュメント、特に紙幣は、以下に定義するような１つまたは複数の追加的なセキュリティエレメントを備え得る。
【００６５】
これらの追加のセキュリティエレメントの中には、特定の機器を使用せずに、日光または人工光の下で視認できるものがある。これらのセキュリティエレメントは、例えば、着色されたフレークまたは繊維、或いは部分的または完全にメタライゼーションまたは印刷されたスレッドを含む。これらのセキュリティエレメントは、レベル１のセキュリティエレメントと称される。
【００６６】
他のタイプの追加的なセキュリティエレメントは、紫外線（ＵＶ）または赤外線（ＩＲ）を射出するランプ等、比較的単純な機器を使用してのみ検出可能である。これらのセキュリティエレメントは、例えば、繊維、フレーク、ストリップ、スレッド、または粒子で構成される。これらのセキュリティエレメントは、肉眼で可視の場合と可視でない場合があり、例えば、３６５ｎｍの波長で射出するＷｏｏｄのランプで照らされた際に発光する。これらのセキュリティエレメントは、レベル２のセキュリティエレメントと称される。
【００６７】
他のタイプの追加のセキュリティエレメントは、検出されるのにより洗練された検出装置を必要とする。これらのセキュリティエレメントは、例えば、同時かどうかには関わらず、１つまたは複数の外部励起ソースにさらされた際に特定の信号を作成し得る。信号の自動検出により、必要に応じてドキュメントを認証できる。これらのセキュリティエレメントは、例えば、これらのトレーサーがオプトロニック、電気、磁気、または電磁励起にさらされた際に特定の信号を作成することができる活物質、粒子、または繊維の形をとるトレーサーを備える。これらのセキュリティエレメントは、レベル３のセキュリティエレメントと称される。
【００６８】
セキュリティシート上及び／またはセキュリティシート内に存在する１つまたは複数の追加的なセキュリティエレメント、特にセキュリティフィルム及び／または紙基材は、レベル１、２または３のセキュリティ機能を有し得る。
【００６９】
本発明のさらに別の主題は、その別の態様によれば、セキュリティシートまたは上記で定義されたようなセキュリティドキュメントを認証するための方法であって、シートの少なくとも１つの面が反射光及び透過光で観察され、ドキュメントの信憑性に関する情報が、この観察に基づいて作成される、方法である。前面及び後面は、特にそれぞれ反射光及び透過光で観察され得、前記情報は、特にこの観察に基づいて作成され得る。観察はウィンドウを介して行うことができる。透かしによって形成される全体的なパターン、１つまたは複数の開口部、及び、少なくとも１つのセキュリティフィルムのエレメントは、シートまたはドキュメントの他の場所を特徴付ける参照パターンと比較され得、この参照パターンは、例えば、印刷され、メタライゼーション及び／またはデメタライゼーション、或いはホログラムによって形成される。
【００７０】
本発明は、以下の詳細な説明、その実施の非限定的な例の読解、及び添付する図面を検討することで、おそらくよりよく理解されるであろう。
【図面の簡単な説明】
【００７１】
【図１】後面から観察した、本発明によるセキュリティドキュメントの例を示す図である。
【図２】前面から観察した、図１のドキュメントを示す図ある。
【図３Ａ】開口部が作成される前の、セキュリティシートの作成中の図１及び図２のドキュメントの透かしを示す図である。
【図３Ｂ】開口部が作成された後の図３Ａの透かしを示す図である。
【図４Ａ】本発明による変形例のセキュリティシートの作成の様々な段階を示す図である。
【図４Ｂ】本発明による変形例のセキュリティシートの作成の様々な段階を示す図である。
【図４Ｃ】本発明による変形例のセキュリティシートの作成の様々な段階を示す図である。
【図５】後面から観察した異形のセキュリティドキュメントを示す図である。
【図６】前面から観察した異形のセキュリティドキュメントを示す図である。
【図７Ａ】図５及び図６によるドキュメントのシートの作成の様々な段階を示す図である。
【図７Ｂ】図５及び図６によるドキュメントのシートの作成の様々な段階を示す図である。
【図８】本発明による別の例示的なドキュメントを示す図である。
【図９Ａ】反射光で後ろから観察された、本発明の実施形態の変形によるセキュリティドキュメントを示す図である。
【図９Ｂ】反射光で前から観察された、本発明の実施形態の変形によるセキュリティドキュメントを示す図である。
【図９Ｃ】透過光で後ろから観察された、本発明の実施形態の変形によるセキュリティドキュメントを示す図である。
【図９Ｄ】透過光で前から観察された、本発明の実施形態の変形によるセキュリティドキュメントを示す図である。
【発明を実施するための形態】
【００７２】
図１及び図２は、本発明に従って作成されたセキュリティドキュメント１の第１の例を示している。
【００７３】
このドキュメント１は、例えば紙幣であり、長方形であり得る。
【００７４】
ドキュメント１は、任意のタイプであり得る透かし１１を有する紙基材１０を備える。
【００７５】
この透かし１１は、紙基材１０の製造後にそれが有する可能性がある外観とともに、図３Ａに単独で示されている。
【００７６】
本発明の一態様によれば、ドキュメント１は、基材１１に形成された少なくとも１つの開口部１２を備える。
【００７７】
この開口部１２は、好ましくは、レーザーで切断することによって作成され、これにより、規則的なエッジを有する切断を得ることができる。
【００７８】
問題の例では、図３Ｂに示されるように、ドキュメント１の製造中に、それぞれ星形の２つの開口部１２が透かし１１を貫通して作成される。
【００７９】
これらの開口部１２は、透かし１１の外部輪郭１３からセットバックされており、例えば、この輪郭から、例えば、３ｍｍ以上の最小距離ｄにある。
【００８０】
１つまたは複数の開口部１２を作成するために、レーザー切断機は、１つまたは複数の開口部を作成する際にこの透かしを空間参照として使用するように、紙基材上に透かしを配置するための光学デバイスを備え得る。これにより、シート面の透かしの位置に、シートの製造方法のために避けられない公差を許容することができる。例えば、光学デバイスは、シートを撮影する少なくとも１つのカメラと、画像を分析して透かしを認識するためのコンピュータと、を備える。次に、コンピュータは、透かしの所定の領域に１つまたは複数の開口部を作成するようにレーザーを駆動することができる。
【００８１】
本発明によれば、セキュリティドキュメント１はまた、紙基材１０に追加された少なくとも１つのフィルム１５を備える。このフィルム１５は、図示するように、ドキュメントの一方のエッジから反対側のエッジまで延在するストリップの形態をとり得る。
【００８２】
フィルム１５は、例えば、ＰＥＴなどの熱可塑性プラスチックで作成された担体を備え得る。好ましくは、担体の材料は透明である。
【００８３】
フィルム１５は、例えば、メタライゼーション／デメタライゼーションによって形成された少なくとも１つのパターンの形態をとる、または印刷による変形例として、少なくとも１つのセキュリティエレメント２０を有する。図示する例では、フィルム１５は、それぞれがメタライゼーション／デメタライゼーションによって作成された星の形をとる２つのセキュリティエレメント２０を含む。セキュリティエレメント２０のパターンは、開口部の形状と一致し得、それぞれは、例えば、他方の相似変換である。特に、セキュリティエレメントは、それが重ね合わされる開口部１２のサイズよりも大きいサイズを有し得る。従って、開口部１２に対するフィルム１５の位置に公差があるにもかかわらず、セキュリティエレメント２０は、図示のように、開口部を完全に塞ぎ続けている。
【００８４】
フィルム１５は、１つまたは複数のセキュリティエレメント２０が作成される透明ゾーン２１を備え、フィルム１５は、このゾーン２１の外側の、透かし１１に重ね合わされていない領域２２において、メタルゼーションされるか、または変形例として印刷される。領域２１は、例えば真空メタライゼーションまたは電着によって、例えばフィルム１５上に堆積された金属の層のデメタルゼーションによって形成される。変形例として、領域２１は、印刷によって取得され得る。２つの技術はまた、同じフィルム１５内で共存し得る。
【００８５】
フィルム１５は、接着剤、例えば、熱活性化可能な接着剤によって紙基材に固定される。例えば、ホットトランスファー（hot transfer）によって適用されます。
【００８６】
好ましくは、フィルム１５は、開口部１２が作成された後に固定される。
【００８７】
図示されるように、フィルム１５は、開口部１２を完全に覆うことを可能にするのに十分な幅を有し得る。開口部のエッジとフィルム１５のエッジとの間の最小距離ｋは、特にアセンブリの堅さを確保するために、好ましくはゼロ以外であり、例えば、３ｍｍ以上である。
【００８８】
例えば、フィルム１５の幅は５ｍｍ〜２０ｍｍの範囲である。
【００８９】
フィルム１５は、透かしを少なくとも部分的に覆っている。図示する例では、被覆は部分的であり、透かしはフィルム１５の各側から突出している。
【００９０】
フィルム１５にとって、透過光における透かしの視認性に影響を与えないように、透かし１１に重ね合わされるその領域２１において一定の透明性を維持することは有用である。
【００９１】
１つまたは複数の開口部１２の領域において、フィルムはここまで説明したように、印刷またはメタライゼーション／デメタライゼーションによって形成されたレベル１のセキュリティエレメントを備え得る。変形例として、セキュリティエレメントは回折性であり、例えば、レーザービームなどの光線によって照射された際に画像を形成するように作成される。一変形例では、フィルムは、開口部に重ね合わされる、レベル２のセキュリティエレメントを備える。
【００９２】
図１のように、セキュリティドキュメントを裏側からの反射光で見る際に、セキュリティエレメント２０は、開口部１２を通して視認し得る。
【００９３】
フィルム１５の領域２２は、紙基材によってマスクされている。透かし１１がかすかに見える。透過光では、透かし１１がより見やすくなる。
【００９４】
セキュリティドキュメント１を前面からの反射光で観察すると、図２に示すように、フィルム１５の領域２２及びセキュリティエレメント２０を見ることができる。開口部１２は、セキュリティエレメント２０によってマスクされている。透かし１１はかすかに見えるが、透過光ではより見えやすくなる。
【００９５】
変形例（図示せず）として、セキュリティドキュメント１は、フィルム１５の反対側の紙基材を覆う第２のフィルムを備える。これにより、開口部１２の保護を改善し得る。
【００９６】
図４Ａ〜図４Ｃは、変形例のセキュリティドキュメント１の製造の様々な段階を示している。
【００９７】
図４Ａでは、ドキュメントの紙基材１０に作成された透かし１１が見られる。この透かし１１は、例えば、点描された透かし１１ａと影付きの透かし１１ｂとの並置によって形成される。
【００９８】
図４Ｂは、透かし１１ａのエッジから離れた、この透かし１１内に作成された開口部１２を示している。
【００９９】
図４Ｃに示されるように、セキュリティフィルム１５が紙基材１０に追加される。このフィルム１５は、図示するようにマージン２４を残すように、開口部１２と重なるように、そしてその縁から距離を置いてドキュメント上に配置されるセキュリティエレメント２０を備える。
【０１００】
セキュリティエレメント２０は、メタライゼーション／デメタライゼーションまたは印刷によって、または、これらの２つの技術の組み合わせによってさえ形成されたパターンを有し得、その輪郭は、開口部１２の輪郭とリンクし、例えば、図示するようにそれと相似である。
【０１０１】
セキュリティエレメント２０は、ネガティブライティング（negative writing）として現れるテキスト、例えば、図示するような文字を備え得る。
【０１０２】
図４Ｃはまた、フィルム１５が、例えば間隔２７を残しながら、その輪郭２６が透かし１１の輪郭に厳密に従う透明領域２１を有し得ることを示す。透明領域２１は、例えば、フィルムのデメタルゼーションによって形成される。透明領域２１のいずれかの側に位置するフィルム１５の領域２２は、不透明であり、例えば、メタライズされていてもよく、ネガティブライティングを形成するパターン２９、例えば、例示した「Africa」という単語の文字を含み得る。
【０１０３】
図５及び図６は、花の形の透かし１１を備える変形例のセキュリティドキュメント１を示している。
【０１０４】
この透かし１１は、図７Ａに単独で示されている。
【０１０５】
ドキュメント１は、図７Ｂに示されるように、透かし１１の中央部分に作成された、例えば六角形の開口部１２を備える。この開口部１２は、好ましくは、前の例のように、レーザー切断によって作成される。
【０１０６】
ドキュメント１は、図６に示されるように、例えば印刷またはフィルム１５のメタライゼーション／デメタライゼーションによって形成されたセキュリティエレメント２０を備えた透明領域２１を備えるセキュリティフィルム１５を備える。このセキュリティエレメント２０は、例えば、開口部１２の輪郭と相似であり、好ましくはより大きな寸法である輪郭を有する。
【０１０７】
セキュリティエレメント２０は、図６で分かるように、透かし１１を審美的及び概念的に有利に補完する。
【０１０８】
図５に示すように、セキュリティエレメント２０は、開口部１２を通して裏側から見える。
【０１０９】
図８は、例えば「ｓｅｃｕｒｉｔｙ」という用語などの英数字パターンを表すエレクトロタイプ透かし１１を備えるセキュリティドキュメント１を示している。レーザーによって作成された開口部１２、例えば文字「Ａ」で透かし１１のパターンを完成させる。透かし１１及び開口部１２が、ドキュメント１の他の場所に特徴付ける、この場合は「Ａ  ｓｅｃｕｒｉｔｙ」の参照サイン６０を完全に再現している。セキュリティフィルム１５は、紙基材１０に積層され、開口部１２を覆う。
【０１１０】
このフィルム１５は、ホログラフィック効果、虹色効果、金属効果などの様々な光学的効果をドキュメントにもたらし得る。従って、前面に、開口部１２のパターンがセキュリティフィルム１５によって提供される効果とともに現れ得る。
【０１１１】
次に、本発明の一態様に従って作成された別の例示的なセキュリティドキュメント１を、図９Ａ〜図９Ｄを参照しながら説明する。
【０１１２】
このドキュメント１は、例えば、フランジパニの花及び蝶を表す透かし１１が設けられた紙基材１０を備える。
【０１１３】
開口部１２は、透かし１１を通して、好ましくはレーザー切断によって作成される。この開口部１２は、既存の透かし１１の一部、この場合は花びらの輪郭に完全に沿うか、またはそれに近接して従う。
【０１１４】
ドキュメント１は、透かし１１を覆うセキュリティフィルム１５を含む。このフィルム１５は、透明ゾーン２１を備え、その輪郭は、透かし１１のエッジ３０を有する開口部１２を除いて、透かし１１の形状にかなりの程度まで近接して従う。透明ゾーンは、図示のように、開口部１２の反対側のエッジ３１の形状に従う形状を有し得、従って、エッジ３０とエッジ３１との間の開口部１２を通る透明なウィンドウ３２を作成する。
【０１１５】
フィルム１５は、透かし１１よりも狭くてもよいが、図示するように、開口部１２よりも広く、開口部１２を完全に覆っている。
【０１１６】
透かし１１のパターンを繰り返す参照パターン３５、またはその一部、この場合では花は、フィルム１５上に現れ得る。この参照パターン３５は、フィルム１５のメタルゼーションゾーンのデメタルゼーションによって、または、フィルム１５へのネガプリントによって作成され得る。
【０１１７】
例えば、透かしの別の部分、この場合では蝶を同一または概念的に複製する別のパターン４０は、例えば、デメタライゼーションによって、例えば、セキュリティフィルム上の他の場所、透かし１１に対して参照パターン３５の反対側に複製され得る。図９Ａは、裏側からの反射で見たドキュメント１を示している。透かし１１はかすかに見える。フィルム１５は、紙基材１０によってマスクされている。例えば、メタルゼーションされた、フィルム１５のゾーン２２は、開口部１２を通して見える。
【０１１８】
透過光では、図９Ｃに示されるように、透かし１１がはっきりと見えるようになり、テキストまたは他のパターン３５及び４０がフィルム１５のデメタライゼーションによって作成されるネガティブライティングを形成する。透明ウィンドウ３２は非常に明るくなる。
【０１１９】
図９Ｂに示されるように、ウィンドウ３２と同様に、透かし１１は前面から反射でかすかに見える。フィルム１５は完全に見え、例えば、金属反射効果、回折エレメント、または観察角度や照明角度によって異なる色を現す。
【０１２０】
図９Ｄに示されるように、透過光では、透かし１１、テキスト、及び、他のパターン３５及び４０がネガティブライティングを形成し、ウィンドウ３２が完全に見えるようになる。次に、花を形成する、透かしと開口部の組み合わせによって作成された画像が、参照パターン３５と比較され得、本物のドキュメントでは、形成されたパターンは、観察者によって同一であると見なされるように、参照パターンの外観と同一または十分に近い外観である。
【０１２１】
もちろん、本発明は、ここまで説明した例に限定されない。
【０１２２】
例えば、例えば１ｍｍ２以下の範囲の小さな寸法の１つまたは複数の開口部が、透かしを通して作成され得、これにより、１つまたは複数の微穿孔（micro-perforation）を形成することができる。好ましくは、セキュリティフィルムは、これらの微穿孔の少なくとも１つに重ね合わされ、重ね合わせ領域に、回折セキュリティエレメントを備え、光のビーム、特にレーザービームが開口部を通して送られる際に、画像が投影によって作成されることを可能にする。このような回折セキュリティエレメントは、特許文献６に記載されている。変形例として、セキュリティフィルムは、微穿孔に重ね合わされるその領域において透明である。
【０１２３】
セキュリティフィルムはまた、紙基材のより大きな開口部に重ね合わされる回折エレメントを備え得る。
【０１２４】
セキュリティフィルムは、フィルムの表側及び裏側から同じ外観を有する場合もそうでない場合もある様々なセキュリティエレメントを備え得る。例えば、セキュリティフィルムは、前面と後面に異なる色のメタライゼーションを備える。
【０１２５】
セキュリティフィルムは、例えば、フィルムのプラスチック担体をエンボス加工することによって製造されたマイクロレリーフを備え得、これらのマイクロレリーフは、適切な場合にメタルゼーションされ得る。
【０１２６】
セキュリティフィルムは、パッチの形をとるか、または、変形例として紙基材の片面を完全に覆うフィルムの形をとり得る。
【０１２７】
少なくとも１つがセキュリティフィルムである２つのプラスチックフィルムは、基材の両面を覆い、紙基材を通して作成された１つまたは複数の開口部を挟み得る。必要に応じて、これら２つのフィルムがシートの各面の表面全体を覆う。
【０１２８】
開口部は、任意の形状になされ得、透かしのパターン、または、ドキュメントまたはセキュリティフィルム上の他の場所を特徴付けるパターン、例えば紙基材上に印刷されたパターンの形状を再現する、特に、多角形、非多角形または英数字の形状になされ得る。開口部の輪郭は国の形を再現し得る。
【０１２９】
透かし、開口部、及び、セキュリティフィルムの存在の結果として、本発明は、様々なセキュリティデバイスをドキュメントの所与の限られた領域にまとめることを可能にし、セキュリティプリント及び他の関連するセキュリティエレメントのためのより多くの余地をドキュメントに残す。
【０１３０】
セキュリティフィルムは、レンチキュラーアレイを備え得る。このアレイは、マイクロパターンと相互作用して画像を形成するマイクロレンズを含み得、その外観は観察の方向によって変化する。
【０１３１】
レンチキュラーアレイは、開口部に重ねられたフィルムの領域に存在する場合と存在しない場合があり得る。例えば、レンチキュラーアレイは、開口部に重ねられた領域と他の場所の両方でフィルム上に存在する。変形例として、レンチキュラーアレイは開口部の領域にのみ存在し、関連する効果は開口部を通して観察され得る。
【０１３２】
レンチキュラーアレイを有するフィルムの１つまたは複数の領域は、透かしのパターンを補完し得る。
【０１３３】
「備える」という表現は、特に明記されていない限り、「少なくとも１つを備える」と同義であるという通常の意味で理解する必要がある。
【符号の説明】
【０１３４】
１  セキュリティドキュメント
１０  紙基材
１１  基材
１２  開口部
１３  外部輪郭
１５  セキュリティフィルム
２０  セキュリティエレメント
２１  透明領域、透明ゾーン
２２  領域、ゾーン
２４  マージン
２６  輪郭
２７  間隔
２９  パターン
３０  エッジ
３１  エッジ
３２  透明ウィンドウ
３５  参照パターン
３５  パターン
４０  パターン
６０  参照パターン、参照サイン
【図１】
2021522087.tif 000003
【図２】
2021522087.tif 000004
【図３Ａ】
2021522087.tif 000005
【図３Ｂ】
2021522087.tif 000006
【図４Ａ】
2021522087.tif 000007
【図４Ｂ】
2021522087.tif 000008
【図４Ｃ】
2021522087.tif 000009
【図５】
2021522087.tif 000010
【図６】
2021522087.tif 000011
【図７Ａ】
2021522087.tif 000012
【図７Ｂ】
2021522087.tif 000013
【図８】
2021522087.tif 000014
【図９Ａ】
2021522087.tif 000015
【図９Ｂ】
2021522087.tif 000016
【図９Ｃ】
2021522087.tif 000017
【図９Ｄ】
2021522087.tif 000018
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
−  少なくとも１つの紙基材（１０）と、
−  前記紙基材（１０）内に作成された少なくとも１つの透かし（１１）であって、前記透かしは外部輪郭（１３）を有する、少なくとも１つの透かし（１１）と、
−  前記紙基材の切除によって作成された規則的なエッジの少なくとも１つの開口部（１２）と、
−  前記少なくとも１つの透かし（１１）及び前記開口部（１２）上に少なくとも部分的に重ね合わされた少なくとも１つのセキュリティフィルム（１５）と、
を備えるセキュリティシートであって、
前記少なくとも１つの開口部（１２）は、その外部輪郭によって囲まれるように前記透かし（１１）の内側にあり、前記セキュリティフィルム（１５）は、少なくとも部分的に前記開口部（１２）に重ね合わされた少なくとも１つのセキュリティエレメント（２０）を備えることを特徴とするセキュリティシート。
【請求項２】
前記外部輪郭（１３）によって囲まれるような前記透かし（１１）の範囲は、前記少なくとも１つの開口部（１２）の範囲よりも少なくとも１．１倍以上大きいことを特徴とする請求項１に記載のセキュリティシート。
【請求項３】
前記少なくとも１つの開口部（１２）は、前記透かしの（１１）の中心に配置されていることを特徴とする請求項１または２に記載のセキュリティシート。
【請求項４】
前記セキュリティエレメント（２０）の輪郭は、前記開口部（１２）の輪郭と相似であることを特徴とする請求項１〜３のいずれか一項に記載のセキュリティシート。
【請求項５】
前記セキュリティエレメント（２０）は、前記開口部を完全に覆い、特に、前記開口部の範囲に対して５％〜２０％大きい範囲であることを特徴とする請求項１〜４のいずれか一項に記載のセキュリティシート。
【請求項６】
前記セキュリティエレメント（２０）は、前記開口部（１２）の領域において光学的に可変であることを特徴とする前述の請求項１〜５のいずれか一項に記載のセキュリティシート。
【請求項７】
前記セキュリティエレメント（２０）は、光学的に可変のデバイスであることを特徴とする請求項１〜６のいずれか一項に記載のセキュリティシート。
【請求項８】
前記セキュリティエレメント（２０）は、前記開口部の領域において、金属層及び前記金属層中の少なくとも１つのボイドを備えることを特徴とする請求項１〜７のいずれか一項に記載のセキュリティシート。
【請求項９】
前記セキュリティエレメント（２０）は、前記開口部の領域において、異なる外観の前面及び後面を有することを特徴とする請求項１〜８のいずれか一項に記載のセキュリティシート。
【請求項１０】
前記少なくとも１つの開口部（１２）の輪郭は、前記透かし（１１）の輪郭と実質的に相似であることを特徴とする請求項１〜９のいずれか一項に記載のセキュリティシート。
【請求項１１】
前記少なくとも１つの開口部（１２）の輪郭は、前記透かし（１１）のパターンと相似であることを特徴とする請求項１〜９のいずれか一項に記載のセキュリティシート。
【請求項１２】
前記透かし（１１）は点描されていることを特徴とする請求項１〜１１のいずれか一項に記載のセキュリティシート。
【請求項１３】
前記透かし（１１）は、陰影を付けられていることを特徴とする請求項１〜１１のいずれか一項に記載のセキュリティシート。
【請求項１４】
前記セキュリティフィルム（１５）は、前記少なくとも１つの開口部（１２）を完全に覆うことを特徴とする請求項１〜１３のいずれか一項に記載のセキュリティシート。
【請求項１５】
前記セキュリティフィルムは、前記セキュリティシートの一方のエッジから反対側のエッジまでストリップ状に延在する、或いは、前記開口部及びそれ以上を覆うパッチの形態で適用されることを特徴とする請求項１〜１４のいずれか一項に記載のセキュリティシート。
【請求項１６】
前記セキュリティフィルム（１５）の幅は、前記透かし（１１）の幅よりも小さいことを特徴とする請求項１４に記載のセキュリティシート。
【請求項１７】
前記少なくとも１つの開口部（１２）の輪郭は、前記セキュリティシートまたは前記セキュリティエレメントのどこかに複製されていることを特徴とする請求項１〜１６のいずれか一項に記載のセキュリティシート。
【請求項１８】
前記少なくとも１つの開口部（１２）は、前記透かしのないシートの厚さとは異なる厚さの透かし入りの領域と接触することを特徴とする請求項１〜１７のいずれか一項に記載のセキュリティシート。
【請求項１９】
前記透かし（１１）には、対称中心がないことを特徴とする請求項１〜１８のいずれか一項に記載のセキュリティシート。
【請求項２０】
前記透かし（１１）は、２つのプラスチックフィルムの間に挟まれていることを特徴とする請求項１〜１９のいずれか一項に記載のセキュリティシート。
【請求項２１】
請求項１〜２０のいずれか一項に記載のセキュリティシートを備えることを特徴とするセキュリティドキュメント。
【請求項２２】
請求項１〜２０のいずれか一項に記載のセキュリティシートを製造するための方法であって
少なくとも１つの透かしを備える透かし入りの紙のシートを製造するステップ、この透かしに少なくとも１つの開口部を切り抜くステップ、及び、前記透かしをも覆うセキュリティフィルムで前記開口部を少なくとも部分的に塞ぐステップからなるステップを備えることを特徴とする方法。
【請求項２３】
前記開口部は、レーザーまたはダイカッターを使用して作成されることを特徴とする請求項２２に記載の方法。
【請求項２４】
セキュリティシートであって、
−  少なくとも１つの紙基材と、
−  メタルゼーション／デメタルゼーション、またはホログラムの参照パターン（６０；３５）の少なくとも１つの表現と、
−  前記紙基材に作成された少なくとも１つの透かし（１１）であって、前記透かしは、不完全な形状において前記参照パターン（６０；３５）を表現する、透かしと、
−  前記紙基材の切除によって作成された規則的なエッジの少なくとも１つの開口部（１２）であって、前記開口部は前記透かしを完成させ、透過光で前記セキュリティシートを観察した際の前記参照パターンの外観及び／または意味を再現する、開口部と、
−  少なくとも部分的に透明または半透明である少なくとも１つのセキュリティフィルムであって、前記セキュリティフィルムが少なくとも部分的に開口部に重ね合わされている、セキュリティフィルムと、
を備えることを特徴とするセキュリティシート。
【請求項２５】
前記参照パターン（３５）は、前記セキュリティフィルム上に存在することを特徴とする請求項２４に記載のセキュリティシート。
【請求項２６】
前記参照パターン（３５）は、デメタライゼーションの形態で存在することを特徴とする請求項２４に記載のセキュリティシート。
【請求項２７】
前記透かしは、複数の繰り返し基本パターンと、前記基本パターンの１つと同じ輪郭を有する前記少なくとも１つの開口部と、を備えることを特徴とする請求項２４〜２６のいずれか一項に記載のセキュリティシート。
【請求項２８】
前記透かしは、陰影及び／または点描された透かしであることを特徴とする請求項２７に記載のセキュリティシート。
【請求項２９】
前記参照パターン（６０）は英数字であることを特徴とする請求項２４〜２８のいずれか一項に記載のセキュリティシート。
【請求項３０】
前記透かしは、エレクトロタイプ透かしであることを特徴とする請求項２９に記載のセキュリティシート。
【請求項３１】
前記セキュリティフィルム（１５）は、前記透かし上に少なくとも部分的に重ね合わされていることを特徴とする請求項２４〜３０のいずれか一項に記載のセキュリティシート。
【請求項３２】
前記セキュリティフィルム（１５）は、前記透かし（１１）を超えて延在する請求項２４〜３１のいずれか一項に記載のセキュリティシート。
【国際調査報告】
2021522087.tif 000019
2021522087.tif 000020
2021522087.tif 000021
2021522087.tif 000022